【手続補正書】
【提出日】平成23年1月14日(2011.1.14)
【手続補正１】
【補正対象書類名】明細書
【補正対象項目名】００６３
【補正方法】変更
【補正の内容】
【００６３】
照明装置３０から照射され拡散シート３２を透過した無偏光の光Ｌは、輝度向上フィルム３３の裏面に入射する。すると、凸部３３ａの形状異方性によって、光Ｌのうち主に各凸部３３ａの配列方向の成分が、液晶表示パネル１０と直交する方向に向けて屈折透過し、指向性を増加させる。また、輝度向上フィルム３３の屈折率異方性によって、光Ｌは、各凸部３３ａの延在方向の偏光成分Ｌｘおよび各凸部３３ａの配列方向の偏光成分Ｌｙに分離される。
【手続補正２】
【補正対象書類名】明細書
【補正対象項目名】００６６
【補正方法】変更
【補正の内容】
【００６６】
続いて、第１偏光子２０Ａへ入射した光Ｌのうち、偏光軸ａと交差する偏光成分Ｌｘが第１偏光子２０Ａで吸収され、偏光軸ａと平行な偏光成分Ｌｙが第１偏光子２０Ａを透過する。第１偏光子２０Ａを透過したＬｙは、液晶表示パネル１０において画素単位で偏光制御がなされて第２偏光子２０Ｂへ入射し、第２偏光子２０Ｂの偏光軸ｂの偏光のみが透過してパネル正面に画像を形成する。このようにして、表示装置１において画像が表示される。
【手続補正３】
【補正対象書類名】明細書
【補正対象項目名】００７０
【補正方法】変更
【補正の内容】
【００７０】
また、本実施の形態では、位相差板３４を用いて輝度向上フィルム３３の偏光軸と第１偏光子２０Ａの偏光軸ａとのなす角が小さく、好ましくは０度となるように、当該位相差板３４に入射した光の偏光方向を変化させるようにしたので、図２２に記載の表示装置では困難であった、第２偏光子２０Ｂから垂直方向の偏光成分を有する光を射出することができる。これにより、第２偏光子２０Ｂを透過した光を偏光サングラスで確認することができる。
【手続補正４】
【補正対象書類名】明細書
【補正対象項目名】００９０
【補正方法】変更
【補正の内容】
【００９０】
このとき、各凸部３３ａおよび各凸部３３ｂの屈折率異方性の軸が互いに平行となっている場合、つまり、各凸部３３ａにおける屈折率の最も小さな方向と、各凸部３３ｂにおける屈折率の最も小さな方向とが互いに平行となっている場合には、各凸部３３ａおよび各凸部３３ｂが共に、一方の偏光成分（図１０ではＬｙ）を選択的に透過すると共に、他の偏光成分（図１０ではＬｘ）を選択的に反射する。ここで、各凸部３３ａの光射出面または各凸部３３ｂの光入射面で反射された光は、照明装置３０の反射シート３５（図１）や拡散シート３２の表面において反射し無偏光化されて再び輝度向上フィルム３３へ入射する。これにより、各凸部３３ａにおける屈折率の最も小さな方向と、各凸部３３ｂにおける屈折率の最も小さな方向とが互いに交差する場合や、各凸部３３ａおよび各凸部３３ｂのいずれか一方だけが偏光分離作用を有している場合よりも、一方の偏光成分（図１０ではＬｙ）の光量を他方の偏光成分（図１０ではＬｘ）の光量よりも格段に多くすることが可能となる。その結果、光の利用効率が高まり正面輝度が向上する。
【手続補正５】
【補正対象書類名】明細書
【補正対象項目名】００９４
【補正方法】変更
【補正の内容】
【００９４】
照明装置３０から照射され拡散シート３２を透過した無偏光の光Ｌは、輝度向上フィルム３３の裏面に入射する。光Ｌは、凸部３３ｂにおいて拡散されると共に、凸部３３ａにおいて指向性を高められる。また、このとき、光Ｌは、凸部３３ａおよび凸部３３ｂの少なくとも凸部３３ａの作用によって第１偏光子２０Ａの偏光軸ａと平行な偏光成分（図１１ではＬｙ）に分離される。
【手続補正６】
【補正対象書類名】明細書
【補正対象項目名】００９７
【補正方法】変更
【補正の内容】
【００９７】
続いて、第１偏光子２０Ａへ入射した光Ｌのうち、偏光軸ａと交差する偏光成分Ｌｘが第１偏光子２０Ａで吸収され、偏光軸ａと平行な偏光成分Ｌｙが第１偏光子２０Ａを透過する。第１偏光子２０Ａを透過したＬｙは、液晶表示パネル１０において画素単位で偏光制御がなされて第２偏光子２０Ｂへ入射し、第２偏光子２０Ｂの偏光軸ｂの偏光のみが透過してパネル正面に画像を形成する。このようにして、表示装置１において画像が表示される。
【手続補正７】
【補正対象書類名】明細書
【補正対象項目名】００９８
【補正方法】変更
【補正の内容】
【００９８】
ところで、本変形例では、輝度向上フィルム３３の凸部３３ａおよび凸部３３ｂの少なくとも凸部３３ａが、偏光軸ａと平行な方向の屈折率が偏光軸ａと直交する方向の屈折率よりも小さくなるような屈折率異方性を面内に有している。そのため、輝度向上フィルム３３の裏面に入射した光Ｌのうち偏光軸ａと交差する偏光成分（図１１ではＬｘ）は、輝度向上フィルム３３で反射され、その反射光は、拡散シート３２の表面、あるいは照明装置３０の反射シート３５で反射され、無偏光となって再び輝度向上フィルム３３へ入射する。このようなリサイクルが繰り返されることにより、光Ｌの取出し効率が高まり、正面輝度の向上を図ることができる。
【手続補正８】
【補正対象書類名】明細書
【補正対象項目名】０１０８
【補正方法】変更
【補正の内容】
【０１０８】
照明装置３０から照射され拡散シート３２を透過した無偏光の光Ｌは、輝度向上フィルム３３の裏面に入射する。すると、凸部３３ａの形状異方性によって、光Ｌのうち主に各凸部３３ａの配列方向の成分が、液晶表示パネル１０と直交する方向に向けて屈折透過し、指向性を増加させる。また、輝度向上フィルム３３の屈折率異方性によって、光Ｌは、各凸部３３ａの延在方向の偏光成分Ｌｘおよび各凸部３３ａの配列方向の偏光成分Ｌｙに分離される。
【手続補正９】
【補正対象書類名】明細書
【補正対象項目名】０１０９
【補正方法】変更
【補正の内容】
【０１０９】
このとき、各凸部３３ａの配列方向の偏光成分Ｌｙは輝度向上フィルム３３を屈折透過して位相差板３６へ入射するが、各凸部３３ａの延在方向の偏光成分Ｌｘは輝度向上フィルム３３の裏面および凸部３３ａの光射出面で反射され、光源３１側に戻される。そして、その戻り光は、拡散シート３２の表面、あるいは照明装置３０の反射シート３５で反射され、無偏光となって再び輝度向上フィルム３３へ入射する。このようなリサイクルが繰り返されることにより、輝度向上フィルム３３を透過した光において、各凸部３３ａの配列方向の偏光成分Ｌｙが各凸部３３ａの延在方向の偏光成分Ｌｘよりも極めて大きくなる。
【手続補正１０】
【補正対象書類名】明細書
【補正対象項目名】０１１２
【補正方法】変更
【補正の内容】
【０１１２】
また、輝度向上フィルム３３の各凸部３３ａを、水平方向に延在すると共にその延在方向と直交する方向（垂直方向）に配列するようにした場合には、上記の場合よりも、第２偏光子２０Ｂを透過した光の水平方向の視野角をさらに広くすることができる。
【手続補正１１】
【補正対象書類名】明細書
【補正対象項目名】０１１４
【補正方法】変更
【補正の内容】
【０１１４】
また、本実施の形態では、第２偏光子２０Ｂは垂直方向の偏光成分を透過する偏光軸ｂを有しているので、第２偏光子２０Ｂに入射した光のうち垂直方向の偏光成分の全部または一部が第２偏光子２０Ｂを透過することができる。これにより、第２偏光子２０Ｂを透過した光を偏光サングラスで確認することができる。
【手続補正１２】
【補正対象書類名】明細書
【補正対象項目名】０１２５
【補正方法】変更
【補正の内容】
【０１２５】
図１８、図１９（Ａ）〜（Ｃ）から、実施例１では、比較例１よりも正面輝度、照度および水平視野角のいずれにおいても大きいことがわかった。一方、位相差板３４を使用しない比較例２では、比較例１よりも正面輝度、照度および視野角のいずれにおいても小さいことがわかった。また、位相差板３４を使用せず、さらに輝度向上フィルム３３を、凸部３３ａの延在方向が垂直方向となるように配置した比較例３では、比較例１よりも正面輝度、照度の上昇はあるものの、水平視野角が狭いことがわかった。このことから、輝度向上フィルム３３を、凸部３３ａの延在方向が水平方向となるように配置し、かつ位相差板３４を用いることにより、正面輝度、照度および水平視野角のいずれについても増加させることができることがわかった。
【手続補正１３】
【補正対象書類名】明細書
【補正対象項目名】０１２９
【補正方法】変更
【補正の内容】
【０１２９】
図２２、図２３（Ａ）〜（Ｄ）から、実施例２，３においては、偏光サングラスとしての第２偏光子２０Ｂの偏光軸ｂが水平でも垂直でも、ある一定の輝度を観測することができた。一方、位相差板３６を用いない比較例５，６においては、偏光サングラスとしての第２偏光子２０Ｂの偏光軸ｂが垂直な場合には輝度を測定することができたが、水平な場合には輝度を観測することができなかった。このことから、位相差板３６を用いた場合には、偏光サングラスを用いたときに、液晶画面を見ることができない場合はなく、その逆に、位相差板３６を用いない場合には、偏光サングラスを用いたときに、液晶画面を見ることができない場合があることがわかった。